(57)【要約】【課題】    記録テープのエッジ部を傷付けることなく、安定して記録テープを引き出すことができるリール及び記録テープカートリッジを得ることが目的である。【解決手段】  ハブ４０の上端部に鍔部６０を形成し、上フランジ４８に環状リブ６４を垂下させ、この環状リブ６４に弾性変形可能な係合部６６を設けて、上フランジ４８と係合部６６とで鍔部６０を挟持し、上フランジ４８をハブ４０に取付けている。これにより、下フランジ４６に対する上フランジ４８の位置決めが成され、磁気テープＴのエッジ部を上フランジ４８及び下フランジ４６で確実に保持することができる。また、上フランジ４８はハブ４０の軸方向に対して移動可能となるため、下フランジ４６を基準とし、磁気テープＴによって上フランジ４８に所定値以上の当接力が付与されたとき、ハブ４０の軸方向に沿って上フランジ４８を移動させ逃がすことができる。このため、走行する磁気テープＴのエッジ部を傷付けることなく、また、磁気テープＴの安定した走行を得ることができる。【選択図】      図２
2007052830.tif 000002
【特許請求の範囲】
【請求項１】
記録テープが巻回されるハブと、
前記ハブの一端側に設けられた第１フランジと、
前記ハブの他端側に装着され、前記第１フランジと共に前記記録テープを保持する第２フランジと、
前記ハブの他端部からハブの中心部に張り出す張出部と、
前記第２フランジに形成され、第２フランジと共に前記張出部を挟持する装着部と、
前記装着部を前記張出部から前記ハブの一端側へ離れるように弾性的に押圧する押圧手段と、
を有することを特徴とするリール。
【請求項２】
前記張出部が、環状に形成された鍔部であり、前記鍔部には前記装着部が通過可能な切欠き部が形成され、
前記装着部が、前記第２フランジから垂下された環状リブと、前記環状リブの端部から外側へ向かって張り出す係合片と、前記環状リブと前記係合片の連接部に形成された切込み部と、で構成されたことを特徴とする請求項１に記載のリール。
【請求項３】
前記鍔部には係合凸部が形成され、前記係合片には前記係合凸部が係合する係合凹部が形成されたことを特徴とする請求項１又は２に記載のリール。
【請求項４】
請求項１〜３の何れか１項に記載のリールを備えたことを特徴とする記録テープカートリッジ。
【発明の詳細な説明】
【技術分野】
【０００１】
本発明は、磁気テープ等の記録テープを巻き回すリール及び記録テープカートリッジに関する。
【背景技術】
【０００２】
コンピュータ等の外部記録媒体として、例えば、磁気テープを巻装したリールをケース内に収容した記録テープカートリッジが知られている。リールは、その軸心部を構成し外周に磁気テープが巻き回されるハブと、ハブの軸線方向両端からそれぞれ径方向外側に張り出した上フランジと下フランジとを備えている。
【０００３】
この上フランジ又は下フランジをハブに溶着するに当たっては、様々な技術が開発されている。例えば、特許文献１では、溶着時に上フランジ又は下フランジの高さを精度よく規定する方法として、ハブの端面に溶着用当接面を立設し、超音波振動によって溶着しろを溶かしたときに、上フランジ又は下フランジが該溶着用当接面に当接するようにしている。
【０００４】
しかしながら、このように、超音波溶着によって上フランジ又は下フランジをハブに溶着した場合、上フランジ又は下フランジはハブに対して移動不能に固定された状態となり、上フランジと下フランジの離間距離は決まってしまう。このため、走行する記録テープが多少ずれて巻き回された場合、記録テープのエッジ部を傷付けてしまう恐れが生じる。
【特許文献１】特開平１１−２５６４９号公報
【発明の開示】
【発明が解決しようとする課題】
【０００５】
本発明は、上記事実を考慮して、記録テープのエッジ部を傷付けることなく、安定して記録テープを引き出すことができるリール及び記録テープカートリッジを得ることが目的である。
【課題を解決するための手段】
【０００６】
上記目的を達成するために、請求項１に記載の発明は、リールにおいて、記録テープが巻回されるハブと、前記ハブの一端側に設けられた第１フランジと、前記ハブの他端側に装着され、前記第１フランジと共に前記記録テープを保持する第２フランジと、前記ハブの他端部からハブの中心部に張り出す張出部と、前記第２フランジに形成され、第２フランジと共に前記張出部を挟持する装着部と、前記装着部を前記張出部から前記ハブの一端側へ離れるように弾性的に押圧する押圧手段と、を有することを特徴とする。
【０００７】
請求項１に記載の発明では、第２フランジに形成された装着部によって、第２フランジと共にハブの他端部に設けられた張出部を挟持することで、超音波溶着することなく、第２フランジをハブに装着することができる。
【０００８】
また、押圧手段によって、装着部を、張出部からハブの一端側へ離れるように押圧することで、第２フランジを張出部に確実に当接させることができ、第１フランジに対する第２フランジの位置決めが成され、記録テープのエッジ部を第１フランジ及び第２フランジで確実に保持することができる。また、第２フランジを張出部に確実に当接させることで、第２フランジの面振れも少ない。
【０００９】
さらに、押圧手段によって、装着部を弾性的に押圧することで、第２フランジをハブの軸方向に対して移動可能とすることができ、第１フランジを基準とし、記録テープによって第２フランジに所定値以上の当接力が付与されたとき、ハブの軸方向に沿って第２フランジを移動させ逃がすことができる。これにより、走行する記録テープのエッジ部を傷付けることなく、また、記録テープの安定した走行を得ることができる。
【００１０】
請求項２に記載の発明は、請求項１に記載リールにおいて、前記張出部が、環状に形成された鍔部であり、前記鍔部には前記装着部が通過可能な切欠き部が形成され、前記装着部が、前記第２フランジから垂下された環状リブと、前記環状リブの端部から外側へ向かって張り出す係合片と、前記環状リブと前記係合片の連接部に形成された切込み部と、で構成されたことを特徴とする。
【００１１】
請求項２に記載の発明では、環状に形成された鍔部に装着部が通過可能な切欠き部を形成している。一方、第２フランジから環状リブを垂下させ、該環状リブの端部から外側へ向かって係合片を張り出させている。この係合片と環状リブの連接部に切込み部を形成し、装着部を弾性変形可能としている。
【００１２】
係合片を切欠き部へ通過させ、第２フランジが鍔部に当接し移動規制された状態で、第２フランジをハブに対して相対回転させると、第２フランジと係合片の間で鍔部が挟持され、第２フランジがハブに取付けられる。
【００１３】
ここで、押圧手段として、係合片と鍔部の間に、バネ部材を配置し、装着部を鍔部からハブの一端側へ離れるようにしても良いが、係合片と環状リブの連接部に切込み部を形成することで、係合片自体に弾性力を兼ね備えさせることができる。これにより、バネ部材が不要となり、コストダウンを図ることができる。
【００１４】
請求項３に記載の発明は、請求項１又は２に記載のリールにおいて、前記鍔部には係合凸部が形成され、前記係合片には前記係合凸部が係合する係合凹部が形成されたことを特徴とする。
【００１５】
請求項３に記載の発明では、鍔部に係合凸部を形成し、係合片に係合凸部が係合する係合凹部を形成している。係合片を切欠き部へ通過させ、第２フランジが鍔部に当接し移動規制された状態で、第２フランジをハブに対して相対回転させると、鍔部の係合凸部が係合片の係合凹部に係合する。これにより、第２フランジがハブの周方向で位置決めされる。
【００１６】
請求項４に記載の発明は、記録テープカートリッジにおいて、請求項１〜３の何れか１項に記載のリールを備えたことを特徴とする。
【００１７】
請求項４に記載の発明では、請求項１〜３の何れか１項に記載の発明の効果と略同一の効果を得ることができる。
【発明の効果】
【００１８】
本発明は上記構成としたので、請求項１及び４に記載の発明では、超音波溶着することなく、第２フランジをハブに装着することができる。また、押圧手段によって、装着部を、張出部からハブの一端側へ離れるように押圧することで、第２フランジをハブの他端部に確実に当接させることができ、第１フランジに対する第２フランジの位置決めが成され、記録テープのエッジ部を第１フランジ及び第２フランジで確実に保持することができる。また、第２フランジを張出部に確実に当接させることで、第２フランジの面振れも少ない。さらに、押圧手段によって、装着部を弾性的に押圧することで、第２フランジをハブの軸方向に対して移動可能とすることができ、第１フランジを基準とし、記録テープによって第２フランジに所定値以上の当接力が付与されたとき、ハブの軸方向に沿って第２フランジを移動させ逃がすことができる。これにより、走行する記録テープのエッジ部を傷付けることなく、また、記録テープの安定した走行を得ることができる。
【００１９】
請求項２に記載の発明では、押圧手段として、係合片と鍔部の間に、バネ部材を配置し、装着部を鍔部からハブの一端側へ離れるようにしても良いが、係合片と環状リブの連接部に切込み部を形成することで、係合片自体に弾性力を兼ね備えさせることができる。これにより、バネ部材が不要となり、コストダウンを図ることができる。
【００２０】
請求項３に記載の発明では、係合片を切欠き部へ通過させ、第２フランジが鍔部に当接し移動規制された状態で、第２フランジをハブに対して相対回転させると、鍔部の係合凸部が係合片の係合凹部に係合する。これにより、第２フランジがハブの周方向で位置決めされる。
【発明を実施するための最良の形態】
【００２１】
本発明の実施形態に係るリール１０について図１乃至図４に基づいて説明する。先ず、リール１０が適用された記録テープカートリッジ１２の該略全体構成を説明し、次いでリール１０を詳細に説明することとする。なお、説明の便宜上、矢印Ａで示す記録テープカートリッジ１２のドライブ装置への装填方向を前方向（前側）とし、矢印Ａと直交する矢印Ｂ、矢印Ｃ方向をそれぞれ右方向、上方向とする。
【００２２】
（記録テープカートリッジの構成）
図１には記録テープカートリッジ１２の分解斜視図が示されている。記録テープカートリッジ１２は、平面視で略矩形状のケース１４内に、情報記録再生媒体である記録テープとしての磁気テープＴを巻装した単一のリール１０を回転可能に収容して構成されている。
【００２３】
ケース１４の右側壁の前端部には、磁気テープＴをケース１４外に引き出すための開口１６が設けられている。この開口１６は、記録テープカートリッジ１２（磁気テープＴ）の不使用時にはドア１８によって閉塞され、記録テープカートリッジ１２の使用時にはドライブ装置内で開放されるようになっている。
【００２４】
また、磁気テープＴの先端には、リーダ部材であるリーダピン２０が取り付けられている。このリーダピン２０は、小円柱状に形成されており、磁気テープＴの幅方向端部よりも上下に突出する長手方向両端にそれぞれ設けられたフランジ部２０Ａが、ドライブ装置の引出部材に引掛けられて磁気テープＴをケース１４から引き出させるようになっている。
【００２５】
ケース１４は、上ケース２２と下ケース２４とを接合して構成されている。上ケース２２は、平面視略矩形状の天板２２Ａの外縁に沿って略枠状の周壁２２Ｂが立設されて構成されており、下ケース２４は、天板２２Ａに略対応した形状の底板２４Ａの外縁に沿って周壁２４Ｂが立設されて構成されている。そして、ケース１４は、周壁２２Ｂの開口端と周壁２４Ｂの開口端とを突き当てた状態で、超音波溶着やビス止め等によって上ケース２２と下ケース２４とが接合されて、略箱状に形成されている。
【００２６】
開口１６は、側面視で略矩形状に形成され、ケース１４における矢印Ａ方向に沿う右側壁１４Ａ（周壁２２Ｂと周壁２４Ｂとで構成されるケース１４の右向き壁）における前端で右向きに開口している。天板２２Ａ及び底板２４Ａには、それぞれ直立したリーダピン２０のフランジ部２０Ａを収容するピン受け凹部２６が設けられている。各ピン受け凹部２６は、開口１６の前端近傍で右向きにも開口しており、開口１６を経由したリーダピン２０のケース１４に対する出入りを可能としている。
【００２７】
また、ケース１４の前端近傍には、板ばね２８が取り付けられており、板ばね２８には上下一対のアーム２８Ａが設けられている。板ばね２８は、各アーム２８Ａの先端をリーダピン２０のフランジ部２０Ａに係合させてリーダピン２０をケース１４に対し保持するようになっている。この保持状態は、リーダピン２０を所定値以上の力で右方に引張ることで解除される構成である。
【００２８】
この開口１６を開閉するドア１８は、単独で開口１６を閉塞可能な略矩形平板状に形成されている。ドア１８の上下の端部は、開口１６の開放面及び右側壁１４Ａに沿って天板２２Ａ及び底板２４Ａに設けられたガイド溝３０に摺動可能に入り込んでいる。
【００２９】
これにより、ドア１８は、ガイド溝３０に案内されつつ前後方向にスライドすることで、開口１６を閉塞する閉塞位置と、開口１６を開放する開放位置とを選択的に取り得る構成とされている。そして、ドア１８は、ケース１４との間に設けられた付勢部材であるコイルばね３２によって前方に付勢されており、通常はこの付勢力によって閉塞位置に位置するようになっている。ドア１８の前端には、操作部１８Ａが右方に張り出して設けられており、この操作部１８Ａを後方に押圧することで、コイルばね３２の付勢力に抗してドア１８を開放位置に移動することができるようになっている。
【００３０】
また、ケース１４の底板２４Ａの中央部には、リール１０の後述するリールギヤ５０（図２参照）を露出するためのギヤ開口３４が設けられている。リール１０は、リールギヤに噛み合わされたドライブ装置の駆動ギヤが回転することで、ケース１４内で非接触で回転駆動される構成である。
【００３１】
さらに、ケース１４には、ギヤ開口３４と同軸的な円周に沿って天板２２Ａ及び底板２４Ａから部分的に立設されると共に上下端を突き合わせて構成された誘導規制壁３６を備えている。誘導規制壁３６は、リール１０のガタつきを抑えると共に、端部を周壁２２Ｂ、２４Ｂに連続させてリール１０の設置領域に塵芥等が進入することを防止する構成とされている。
【００３２】
また、ケース１４内における右後角隅部には、各記録テープカートリッジ１２毎に、その各種情報を記憶されたメモリボードＭが設置されている。メモリボードＭは、下面側から通信するドライブ装置、及び背面側から通信するライブラリ装置との各通信を可能とするために、支持面である上縁が所定角度（この実施形態では４５°）前傾した一対の支持リブ３８によって、底板２４Ａに対し略４５°傾斜して支持されている。
【００３３】
（リールの構成）
図２には、リール１０の断面図が示されている。このリール１０は、軸心部を構成する略円筒状のハブ４０を備えている。ハブ４０は、外周面に磁気テープＴが巻き回される円筒部４２と、該円筒部４２の下部を閉塞する底部４４（ハブ４０の他端側）とを有し、上方が開口している。ハブ４０の底部４４の外周からは、第１フランジとしての下フランジ４６が径方向外側へ向かって同軸的かつ一体に張り出している。
【００３４】
一方、ハブ４０の開口側である上端部（ハブ４０の一端側）からは、図３及び図４に示すように、環状の鍔部６０が内側へ向かって張り出しており、該鍔部６０には周方向に沿って、ここでは等間隔に４つの切欠き部６２を形成している。この鍔部６０に下フランジ４６と対向する上フランジ４８（第２フランジ）が対向する。
【００３５】
上フランジ４８は外径が下フランジ４６の外径と同径とされており、中央部には孔部４８Ａが形成され、孔部４８Ａの周縁部からは、環状リブ６４が垂下している。この環状リブ６４は鍔部６０内を挿通可能な大きさとされており、環状リブ６４の外周面からは、係合部６６が外側へ向かって環状リブ６４に対して略垂直に張り出している。
【００３６】
ここで、係合部６６と上フランジ４８との離間距離は、鍔部６０の肉厚よりも僅かに長くなっている。また、係合部６６の基部上部には、切込み部６６Ａが凹設され、薄肉となっている。これにより、係合部６６にバネ性を持たせ、係合部６６を、基部を支点として矢印方向へ弾性変形可能としている。また、係合部６６の上面には、係合凹部６６Ｂが凹設されており、鍔部６０の下面に突設された係合凸部６０Ａに係合可能となっている。
【００３７】
係合部６６を切欠き部６２へ挿通させ、上フランジ４８の下面が鍔部６０の上面に面接触し移動規制された状態で、上フランジ４８をハブ４０に対して相対回転させる。そして、係合部６６が係合凸部６０Ａと対面すると、係合部６６が弾性変形し、上フランジ４８と係合部６６とで鍔部６０を挟持すると共に、係合部６６の係合凹部６６Ｂが鍔部６０の係合凸部６０Ａに係合され、上フランジ４８がハブ４０に取付けられる。
【００３８】
この状態で、係合部６６は矢印方向へ若干付勢され、この付勢力によって係合部６６の基部を支点とするモーメントが得られ、上フランジ４８を鍔部６０側へ押圧する押圧力が付与される。このため、上フランジ４８の下面が鍔部６０の上面に面接触した状態は維持され、下フランジ４６に対する上フランジ４８の位置決めが成される。
【００３９】
そして、下フランジ４６及び上フランジ４８は、ハブ４０に巻き回された磁気テープＴの幅方向（ハブ４０の軸線方向）への位置ずれを規制し、図１及び図２に示すように、リール１０は、下フランジ４６と上フランジ４８との間における円筒部４２（ハブ４０）の外周面に磁気テープＴを巻き回し可能とされる。
【００４０】
一方、ハブ４０の底部４４における外面（下面）の外周近傍には、環状に形成されたリールギヤ５０が設けられている。このリールギヤ５０は、ケース１４のギヤ開口３４から露出され、ドライブ装置の回転シャフトに対し軸線方向に沿って相対移動することで、該回転シャフトの先端に設けられた駆動ギヤに対する噛み合い及び噛み合いの解除が可能とされている。
【００４１】
また、底部４４の下面におけるリールギヤ５０の径方向内側には、磁性材料より成るリールプレート５２が、インサート成形により一体に設けられている。このリールプレート５２は、回転シャフトの先端に設けられたマグネットによって非接触で吸着保持される構成である。
【００４２】
さらに、ハブ４０の内側には、磁気テープＴの不使用時にリール１０の回転を阻止するための図示しないロック機構が設けられるようになっている。ロック機構は、ケース１４に対し回り止めされたロック部材を有し、このロック部材をリール１０の底部４４に対して接離可能に支持している。また、ロック部材は、底部４４に対する接離によって、該底部４４の係合部（図示省略）に係合してリール１０のケース１４に対する回転を阻止する回転ロック位置と、該係合状態を解除してリール１０の回転を許容する解除位置とを取り得る構成である。このため、底部４４にはロック部材が係合する係合部が設けられると共に、ドライブ装置のロック解除部材が外部からロック部材を操作するための操作孔５４が形成されている。この実施形態（図１）では、操作孔５４がリールギヤ５０の形成部位に設けられた構成を例示しているが、例えば、底部４４の軸心部に操作孔５４を設けても良い。
【００４３】
以上説明したように、ハブ４０の底部４４は、リールギヤ５０が形成されてドライブ装置から回転力が伝達される機能、不使用時にケース１４のギヤ開口３４を閉塞する機能、ロック部材を係合させリール１０のケース１４に対する回転を阻止する機能等をそれぞれ果たすようになっている。
【００４４】
このように各種機能を果たす底部４４が円筒部４２の下端を閉塞している（下端から径方向内側に張り出している）ハブ４０は、該底部４４の補強効果によって、その開口端である上端側よりも下端側の方が磁気テープＴの巻き圧に対し高強度（高剛性）とされている。
【００４５】
次に、本発明の実施形態の作用について説明する。
【００４６】
図１及び図２に示すリール１０は、磁気テープＴに情報を記録する際、又は磁気テープＴに記録された情報を再生する際に記録テープカートリッジ１２がドライブ装置に装填されると、ケース１４に対する回転ロックが解除され、そのリールギヤ５０に駆動ギヤを噛み合わせた回転シャフトが回転することでケース１４内で回転する。
【００４７】
このとき、すでに開口１６から取出されたリーダピン２０がドライブ装置の巻取リールに保持されており、この巻取リールがリール１０と同期して回転することによって、磁気テープＴがケース１４から順次引き出される。そして、所定のテープ経路に沿って配設された記録再生ヘッドが磁気テープＴに情報を書き込み、又は磁気テープＴに記録されている情報を読み取る。磁気テープＴの使用後には、リール１０は、磁気テープＴを巻き取り初期状態に復帰する。
【００４８】
ところで、本形態では、図２〜図４に示すように、ハブ４０の上端部に、鍔部６０を形成し、上フランジ４８には環状リブ６４を垂下させ、この環状リブ６４に弾性変形可能な係合部６６を設けて、上フランジ４８と係合部６６とで鍔部６０を挟持し、上フランジ４８をハブ４０に取付けている。
【００４９】
つまり、超音波溶着することなく、上フランジ４８をハブ４０に装着することができる。また、上フランジ４８を下フランジ４６側へ押圧する押圧力を付与することで、上フランジ４８の下面を鍔部６０の上面に確実に面接触させることができ、下フランジ４６に対する上フランジ４８の位置決めが成され、磁気テープＴのエッジ部を上フランジ４８及び下フランジ４６で確実に保持することができる。また、上フランジ４８の下面を鍔部６０の上面に確実に面接触させることで、上フランジ４８の面振れも少ない。
【００５０】
さらに、上フランジ４８はハブ４０の軸方向に対して移動可能となるため、下フランジ４６を基準とし、磁気テープＴによって上フランジ４８に所定値以上の当接力が付与されたとき、ハブ４０の軸方向に沿って上フランジ４８を移動させ逃がすことができる。これにより、走行する磁気テープＴのエッジ部を傷付けることなく、また、磁気テープＴの安定した走行を得ることができる。
【００５１】
なお、ここでは、上フランジ４８に環状リブ６４を垂下させ、環状リブ６４から係合部６６を張り出させたが、必ずしも環状リブ６４は必要ではなく、例えば、図示はしないが、Ｌ字状の係合片を上フランジ４８から垂下させても良い。
【００５２】
また、係合部６６自体を弾性変形させるようにしたが、上フランジ４８を下フランジ４６側へ押圧すると共に、上フランジ４８をハブ４０の軸方向に沿って移動させることができれば良いため、鍔部６０と係合部６６との間に、バネを設けるようにしても良い。
【００５３】
さらに、上記各実施形態では、下フランジ４６がハブ４０に一体に形成された例を示したが、本発明はこれに限定されず、ハブ４０とは別体として形成した下フランジ４６をハブ４０の下端部に固着する構成としても良い。
【００５４】
また、上記各実施形態では、単一のリールをケース１４内に収容して構成される記録テープカートリッジ１２にリール１０を適用した例を示したが、本発明はこれに限定されず、例えば、２つのリールをケース内に収容した２リールタイプの記録テープカートリッジにリール１０を適用しても良い。
【図面の簡単な説明】
【００５５】
【図１】本発明の実施形態に係る記録テープカートリッジの全体構成を示す分解斜視図である。
【図２】本発明の実施形態に係るリールを示す断面図である。
【図３】本発明の実施形態に係るリールの構成を示す分解斜視図である。
【図４】本発明の実施形態に係るリールを示す部分拡大図である。
【符号の説明】
【００５６】
１２    記録テープカートリッジ
１０    リール
４０    ハブ
４６    下フランジ（第１フランジ）
４８    上フランジ（第２フランジ）
６０    鍔部（張出部）
６０Ａ  係合凸部
６２    切欠き部（張出部）
６４    環状リブ（装着部）
６６    係合部（係合片、装着部）
６６Ａ  切込み部（装着部）
６６Ｂ  係合凹部
【図１】
2007052830.tif 000003
【図２】
2007052830.tif 000004
【図３】
2007052830.tif 000005
【図４】
2007052830.tif 000006